(57)【要約】   移動通信システムにおける無線チャンネルを介して受信されたパケットデータにエラーが発生したか否かに従って応答信号の送信を制御する装置を提供する。エラー検出部は、無線チャンネルを介して受信されたパケットデータのエラーを検出したか否かに相当する応答信号を生成し、拡散器は、応答信号を拡散して出力する。送信電力制御器は、パケットデータチャンネルのパケットデータ送信率に従って異なる電力値で拡散された応答信号に対する電力制御動作を遂行し、送信部は、送信電力制御部によって出力された応答信号を無線チャンネルを介して送信する。
2007520902.tif 000002
【特許請求の範囲】
【請求項１】
移動通信システムにおける無線チャンネルを介して受信されたパケットデータにエラーが発生したか否かに従って応答信号の送信を制御する装置であって、
前記無線チャンネルを介して受信されたパケットデータのエラーを検出したか否かに相当する応答信号を生成するエラー検出部と、
前記応答信号の電力をパケットデータ送信率に従って異なる電力値で制御する送信電力制御器と、
前記電力制御された応答信号を前記無線チャンネルを介して送信する送信部と
を具備することを特徴とする装置。
【請求項２】
前記応答信号は、肯定応答（ＡＣＫ）／否定応答（ＮＡＣＫ）ビットであることを特徴とする請求項１記載の装置。
【請求項３】
前記パケットデータ送信率が増加する場合には、前記応答信号の電力が増加することを特徴とする請求項１記載の装置。
【請求項４】
前記パケットデータ送信率が減少する場合には、前記応答信号の電力が減少することを特徴とする請求項１記載の装置。
【請求項５】
移動通信システムにおける無線チャンネルを介して受信されたパケットデータにエラーが発生したか否かに従って応答信号の送信を制御する装置であって、
前記パケットデータにエラーが含まれているか否かを検出し、前記エラー検出に従う応答信号を生成するエラー検出部と、
データ送信率に従ってそれぞれ異なる値を有する反復制御信号を出力するシンボル反復制御器と、
前記反復制御信号に従って前記応答信号を反復するシンボル反復器と、
前記反復された応答信号を前記無線チャンネルを介して送信する送信部と
を具備することを特徴とする装置。
【請求項６】
前記応答信号は、肯定応答（ＡＣＫ）／否定応答（ＮＡＣＫ）ビットであることを特徴とする請求項５記載の装置。
【請求項７】
前記パケットデータ送信率が増加する場合には、前記応答信号の電力が増加することを特徴とする請求項５記載の装置。
【請求項８】
前記パケットデータ送信率が減少する場合には、前記応答信号の電力が減少することを特徴とする請求項５記載の装置。
【請求項９】
移動通信システムにおける応答信号の受信を制御する装置であって、
応答チャンネルを介して受信された応答信号を逆拡散する逆拡散器と、
パケットデータチャンネルを介して以前に送信されたパケットデータの送信率に従って、あらかじめ設定された反復回数に基づいて合算するように制御するためのシンボル合算制御器と、
シンボル合算制御信号に従って前記逆拡散器の出力を合算するシンボル合算器と、
前記合算された出力を受信して、前記以前に送信されたパケットデータが正確に受信されたか否かを判断する判断器と、
前記判断器の判断結果に従って、上記パケットデータを送信するパケット送信部と
を具備することを特徴とする装置。
【請求項１０】
前記パケット送信部は、前記判断器が前記受信された応答信号を肯定応答（ＡＣＫ）ビットであると判断する場合に、新たなパケットデータを送信することを特徴とする請求項９記載の装置。
【請求項１１】
移動通信システムにおける送信率制御ビット（ＲＣＢ）を送信する装置であって、
スケジューラーの制御によって決定されたデータ送信率で前記送信率制御ビットを生成する送信率制御ビット生成部と、
前記生成された送信率制御ビットの電力を特定のパケットデータ送信率に従って異なる電力値で制御する送信電力制御器と
を具備することを特徴とする装置。
【請求項１２】
前記送信電力制御器から出力された前記送信率制御ビットを無線チャンネルを介して送信する送信率制御ビット送信部をさらに具備することを特徴とする請求項１１記載の装置。
【請求項１３】
前記パケットデータ送信率が増加する場合には、前記送信率制御ビットの電力が増加することを特徴とする請求項１２記載の装置。
【請求項１４】
前記パケットデータ送信率が減少する場合には、前記送信率制御ビットの電力が減少することを特徴とする請求項１２記載の装置。
【請求項１５】
移動通信システムにおける送信率制御ビット（ＲＣＢ）を送信する装置であって、
スケジューラーの制御によって決定されたデータ送信率に従って、前記送信率制御ビットを生成する送信率制御ビット生成部と、
前記データ送信率に従ってそれぞれ異なる値を有する反復制御信号を出力するシンボル反復制御器と、
前記送信率制御ビットを前記反復制御信号に従って反復するシンボル反復器と、
前記反復された送信率制御ビットを拡散し、前記拡散された送信率制御ビットを出力する拡散器と
を具備することを特徴とする装置。
【請求項１６】
前記拡散された送信率制御ビットを無線チャンネルを介して送信する送信率制御ビット送信部をさらに具備することを特徴とする請求項１５記載の装置。
【請求項１７】
前記パケットデータ送信率が増加する場合には、前記反復された送信率制御ビットの数が増加することを特徴とする請求項１６記載の装置。
【請求項１８】
前記パケットデータ送信率が減少する場合には、前記反復された送信率制御ビットの数が減少することを特徴とする請求項１６記載の装置。
【請求項１９】
移動通信システムにおける送信率制御ビット（ＲＣＢ）を受信する装置であって、
送信率制御チャンネルを介して受信された送信率制御ビットを逆拡散する逆拡散器と、
前記送信率制御チャンネルを介して以前に送信されたパケットデータの送信率に従って、あらかじめ設定された反復回数に基づいて合算するように制御するためのシンボル合算制御信号を出力するシンボル合算制御器と、
前記シンボル合算制御信号に従って、前記逆拡散された送信率制御ビットを合算するシンボル合算器と、
前記シンボル合算器の出力を受信して、前記以前に送信されたパケットデータの送信率制御ビット値を判断し、前記判断の結果に従って、前記データ送信率を制御する判断器と
を具備することを特徴とする装置。
【請求項２０】
前記判断の結果に基づく前記データ送信率で前記パケットデータを送信するパケットデータ送信部をさらに具備することを特徴とする請求項１９記載の装置。
【請求項２１】
前記判断器は、前記判断の結果として、前記以前に送信された送信率制御ビットが“０”である場合に、次の送信区間で、前記データ送信率を以前の送信区間のデータ送信率と同一に維持することができるように送信率制御信号を出力することを特徴とする請求項１９記載の装置。
【請求項２２】
前記判断器は、前記判断の結果として、前記以前に送信された送信率制御ビットが“１”である場合に、次の送信区間で、前記データ送信率が増加することができるように送信率制御信号を出力することを特徴とする請求項１９記載の装置。
【請求項２３】
前記判断器は、前記判断の結果として、前記以前に送信された送信率制御ビットが“−１”である場合に、次の送信区間で、前記データ送信率が減少することができるように送信率制御ビットを出力することを特徴とする請求項１９記載の装置。
【請求項２４】
移動通信システムにおける送信率制御ビット（ＲＣＢ）を送信する方法であって、
スケジューラーの制御によって決定されたデータ送信率に従って前記送信率制御ビットを生成するステップと、
前記データ送信率に従ってそれぞれ異なる値を有する反復制御信号を出力するステップと、
前記反復制御信号に従って前記生成された送信率制御ビットを反復するステップと、
前記反復された送信率制御ビットを拡散し、前記拡散された送信率制御ビットを出力するステップと
を具備することを特徴とする方法。
【請求項２５】
前記拡散された送信率制御ビットを無線チャンネルを介して送信するステップをさらに具備することを特徴とする請求項２４記載の方法。
【請求項２６】
前記データ送信率が増加する場合には、前記反復された応答信号が増加することを特徴とする請求項２４記載の方法。
【請求項２７】
前記データ送信率が減少する場合には、前記反復された応答信号が減少することを特徴とする請求項２４記載の方法。
【請求項２８】
移動通信システムにおける送信率制御ビットを送信する方法であって、
スケジューラーの制御によって決定されたデータ送信率に従って前記送信率制御ビットを生成するステップと、
前記生成された送信率制御ビットを拡散し、前記拡散された送信率制御ビットを出力するステップと、
前記拡散された送信率制御ビットの電力を前記データ送信率に従って異なる電力値で制御し、前記電力制御動作に基づいて前記拡散された送信率制御ビットを出力するステップと
を具備することを特徴とする方法。
【請求項２９】
前記出力された拡散された送信率制御ビットを無線チャンネルを介して送信するステップをさらに具備することを特徴とする請求項２８記載の方法。
【請求項３０】
前記パケットデータ送信率が増加する場合には、前記送信率制御ビットの電力が増加することを特徴とする請求項２８記載の方法。
【請求項３１】
前記パケットデータ送信率が減少する場合には、前記送信率制御ビットの電力が減少することを特徴とする請求項２８記載の方法。
【請求項３２】
移動通信システムにおける送信率制御チャンネルを介して送信率制御ビットを受信する方法であって、
前記送信率制御チャンネルを介して受信された送信率制御ビットを逆拡散して出力するステップと、
前記逆拡散された送信率制御ビットをシンボル合算制御信号に従って合算して出力するステップと、
前記送信率制御チャンネルを介して以前に送信されたパケットデータの送信率に従って、あらかじめ設定された反復回数に基づいて合算するように制御するための前記シンボル合算制御信号を出力するステップと、
前記合算された送信率制御ビットを受信して、前記以前に送信されたパケットデータの送信率制御ビット値を判断し、前記判断の結果に従って、前記データ送信率を制御するステップと
を具備することを特徴とする方法。
【請求項３３】
前記判断の結果に基づく前記データ送信率で前記パケットデータを送信するステップをさらに具備することを特徴とする請求項３２記載の方法。
【請求項３４】
移動通信システムにおける応答信号の送信を制御する方法であって、
前記無線チャンネルを介して受信されたパケットデータでエラーが検出されたか否かを判断するステップと、
前記パケットデータにエラーが発生したか否かに従って応答信号を生成するステップと、
前記応答信号を反復制御信号に従って反復するステップと、
データ送信率に従ってそれぞれ異なる値を有する前記反復制御信号を出力するステップと、
前記反復された応答信号を無線チャンネルを介して送信するステップと
を具備することを特徴とする方法。
【請求項３５】
前記パケットデータでエラーが検出されない場合に、肯定応答（ＡＣＫ）ビットを生成するステップと、
前記ＡＣＫビットを前記反復制御信号に従って反復するステップと、
前記データ送信率に従ってそれぞれ異なる値を有する前記反復制御信号を出力するステップと、
前記ＡＣＫビットを前記無線チャンネルを介して送信するステップと
をさらに具備することを特徴とする請求項３４記載の方法。
【請求項３６】
前記パケットデータでエラーが検出される場合に、否定応答（ＮＡＣＫ）ビットを生成するステップと、
前記ＮＡＣＫビットを前記反復制御信号に従って反復するステップと、
前記データ送信率に従ってそれぞれ異なる値を有する前記反復制御信号を出力するステップと、
前記ＮＡＣＫビットを前記無線チャンネルを介して送信するステップとをさらに具備することを特徴とする請求項３４記載の方法。
【請求項３７】
移動通信システムにおける応答信号の送信を制御する方法であって、
前記無線チャンネルを介して受信されたパケットデータでエラーが検出されたか否かを判断するステップと、
前記パケットデータでエラーが発生したか否かに従って応答信号を生成するステップと、
データ送信率に従ってそれぞれ異なる電力値で前記応答信号のための電力を制御するステップと、
前記応答信号を前記無線チャンネルを介して送信するステップと
を具備することを特徴とする方法。
【請求項３８】
前記パケットデータでエラーが検出されない場合に、肯定応答（ＡＣＫ）ビットを生成するステップと、
前記パケットデータチャンネルのデータ送信率に従って異なる電力値で前記ＡＣＫビットに対する電力制御を遂行するステップと、
前記電力制御動作に基づいて、前記ＡＣＫビットを前記無線チャンネルを介して送信するステップとをさらに具備することを特徴とする請求項３７記載の方法。
【請求項３９】
前記パケットデータでエラーが検出される場合に、否定応答（ＮＡＣＫ）ビットを生成するステップと、
前記パケットデータチャンネルのデータ送信率に従って異なる電力値で前記ＮＡＣＫビットに対する電力制御を遂行するステップと、
前記電力制御動作に基づいて、前記ＮＡＣＫビットを前記無線チャンネルを介して送信するステップとをさらに具備することを特徴とする請求項３７記載の方法。
【請求項４０】
応答信号受信器における応答信号の受信を制御する方法であって、
応答チャンネルを介して受信された前記応答信号を逆拡散するステップと、
シンボル合算制御信号に従って前記逆拡散された応答信号を合算するステップと、
パケットデータチャンネルを介して以前に送信されたパケットデータの送信率に従って、あらかじめ設定された反復回数に基づいて合算するように制御するための前記シンボル合算制御信号を出力するステップと、
前記合算の結果を受信して、前記以前に送信されたパケットデータが正確に受信されたか否かを判断するステップと、
前記判断の結果に従って、前記パケットデータを送信するステップと
を具備することを特徴とする方法。
【請求項４１】
前記以前に送信されたパケットデータの受信が不良である場合に、前記以前に送信されたパケットデータを再送信することを特徴とする請求項４０記載の方法。
【請求項４２】
前記以前に送信されたパケットデータの受信が良好である場合に、新たなパケットデータを送信することを特徴とする請求項４０記載の方法。
【発明の詳細な説明】
【技術分野】
【０００１】
本発明は、移動通信システムに関し、特に、移動通信システムにおける上りリンクパケットデータを効率的に送信するための装置及び方法に関する。
【背景技術】
【０００２】
一般に、移動通信システムにおけるデータ送信は、下りリンクデータ送信と上りリンクデータ送信とに区分することができる。ここで、下りリンクデータ送信は、基地局から移動端末へのデータ送信を意味し、上りリンクデータ送信は、移動端末から基地局へのデータ送信を意味する。また、移動通信システムから送信されたデータのタイプに従って、音声サービスのみを支援する形態と、音声サービス及び単純なデータサービスを支援する形態と、高速のデータサービスのみを支援する形態と、マルチメディアサービスと音声サービスとを同時に支援する形態とに区分することができる。上述したデータサービスを提供する移動通信システムは、さらに多くの情報を高速で処理するように設計される。
【０００３】
このように、マルチメディアサービスと音声サービスとを同時に処理する移動通信システムは、同一の周波数帯域を使用してマルチメディアサービスを支援する。また、移動通信システムにおいて、複数のユーザが符号分割多重接続方式（Code Division Multiple Access：ＣＤＭＡ）により同時にデータを送信することができる。このとき、ＣＤＭＡにおいて、ユーザは、各ユーザに割り当てられた固有の番号によって区分されることができる。ＣＤＭＡにおいて、逆方向データ送信は、物理階層パケット（Physical Layer Packet：ＲＬＰ）の単位でパケットデータチャンネルを介して遂行され、パケットの長さは、データ送信率に従って固定される。パケットデータ送信率は、パケットごとに可変され、各パケットの送信率は、移動端末の電力、送信されるデータ量、及び電力制御ビットによって制御される。上記電力制御ビットは、基地局から下りリンク送信率制御チャンネル（Forward Rate Control Channel：Ｆ−ＲＣＣＨ）を介して送信された制御情報である。
【０００４】
さらに、移動通信システムは、逆方向処理量（reverse throughput）を改善させるために、物理階層での再送信を遂行することができる。物理階層での再送信は、基地局が逆方向から受信されたデータパケットに対して復調を遂行した後に、パケットエラー（例えば、サイクリックリダンダンシーチェック（Cyclic Redundancy Check；ＣＲＣ））があるか否かに従って、肯定応答／否定応答（ＡＣＫ／ＮＡＣＫ）信号を送信し、移動端末は、上記ＡＣＫ／ＮＡＣＫ信号を受信して、以前に送信されたパケットを再送信するか、又は、新たなパケットを送信するかを決定する。上記物理階層の再送信過程をハイブリッド自動再送 (Hybrid Automatic Repeat Request：以下、“ＨＡＲＱ”とする)と呼ぶ。上記物理階層での再送信過程によると、基地局は、上記受信された逆方向データパケットを復調した後に、パケットエラー又はＣＲＣに従って、物理階層のＡＣＫ／ＮＡＣＫ信号を送信する。基地局からＡＣＫ信号を受信した場合に、移動端末は、以前に送信されたパケットが成功的に受信されたものと判断し、新たなパケットを送信する。一方、基地局からＮＡＣＫを受信した場合には、移動端末は、上記送信されたパケットが成功的に受信されないものと判断して、以前のパケットを再送信する。
【０００５】
一方、従来の移動通信システムにおける応答信号の受信を制御する方法について、図１に示すフローチャートを参照して説明する。
【０００６】
まず、応答信号受信器は、ステップ１０１で待機状態にある。その後に、応答信号受信器は、ステップ１０２で、応答信号送信器からＡＣＫ信号を受信したか否かを判断する。上記ＡＣＫ信号を受信した場合に、応答信号受信器は、ステップ１０３で、以前に送信されたパケットが応答信号送信器から成功的に受信されたものと判断して、新たなパケットデータを送信する。しかしながら、上記ＡＣＫ信号を受信しなかった場合に、上記応答信号受信器は、ステップ１０４で、応答信号送信器からＮＡＣＫ信号を受信したか否かを判断する。上記ＮＡＣＫ信号を受信した場合に、上記応答信号受信器は、ステップ１０５で、以前に送信されたパケットが応答信号送信器によって成功的に受信されないものと判断して、以前に送信されたパケットを再送信する。上記ＡＣＫ信号及び上記ＮＡＣＫ信号をすべて受信しなかった場合には、ステップ１０１で、上記過程は、待機状態へ戻る。
【０００７】
次いで、従来の移動通信システムにおける応答信号の送信を制御する方法について、図２に示すフローチャートを参照して説明する。
【０００８】
上記応答信号送信器は、ステップ２０１で、待機状態にある。上記応答信号送信器は、ステップ２０２で、応答信号受信器からパケットデータを受信したか否かを判断する。上記パケットデータを受信しなかった場合に、上記応答信号送信器は、ステップ２０１へ進行して、上記パケットデータを受信する前に待機状態を維持することができる。しかしながら、上記パケットデータを受信した場合に、上記応答信号送信器は、ステップ２０３で、上記パケットデータの復調を遂行する。この後に、上記応答信号送信器は、ステップ２０４で、受信されたパケットデータにエラーが発生したか否かを判断する。上記パケットデータにエラーが発生した場合に、上記応答信号送信器は、ステップ２０５へ進行して、パケットデータの再送信を要求するために、上記応答信号受信器へ上記ＮＡＣＫ信号を送信する。しかしながら、上記パケットデータにエラーが発生しなかった場合に、上記応答信号送信器は、ステップ２０６に進行して、新たなパケットデータの送信を要求するために、上記応答信号受信器へＡＣＫ信号を送信する。
【０００９】
上述したように、ＡＣＫ／ＮＡＣＫ信号を送受信する時点でエラーが発生することは、全体システムの処理率に直接的に関連した問題であるので、高い信頼度を必要とする。上記信頼度は、ＡＣＫ／ＮＡＣＫ信号を送受信する応答チャンネル（Acknowledgement Channel）の送信電力に従って決定される。上記応答信号送信器が成功的にパケットデータを受信した後に、上記ＡＣＫ信号を上記応答信号受信器へ送信したと仮定すると、上記応答信号受信器は、上記ＡＣＫ信号を受信する時点で発生するエラーによって、ＮＡＣＫ信号が受信されたものと誤って判断する。このとき、上記応答信号受信器は、上記応答信号送信器によってすでに成功的に受信されたパケットを不必要に再送信する。従って、無線資源の浪費及び処理率の低下が発生する問題点があった。
【００１０】
そして、上記応答信号送信器がパケットデータを成功的に受信しなかった後に、再送信を要求するために、上記ＮＡＣＫ信号を送信したと仮定すると、上記応答信号受信器は、上記ＮＡＣＫ信号を受信する時点で発生するエラーによって、上記ＡＣＫ信号が受信されたものと誤って判断する。このとき、上記応答信号受信器は、無線リンク上で送信エラーが発生したにもかかわらず、応答信号送信器に次のパケットを送信する。これは、リンクレイヤー（Link Layer）の再送信、又は送信制御プロトコル（transmission control protocol：ＴＣＰ）再送信のような上位階層の再送信が発生する。結果的に、処理率（throughput）を低下させる、という問題点があった。
【００１１】
一方、上記順方向送信に使用される限定的な資源に基地局の電力が含まれる。上記基地局の電力が増加するに従って、隣接基地局に及ぶ干渉量が増加する。このために、基地局の電力は、適正な電力値に制限されなければならない。しかしながら、基地局の電力によって得られることができるデータ送信率には限界がある。従って、上記限界を克服することができるように、移動通信システムの順方向をデザインしなければならない。
【００１２】
一方、逆方向資源の制限的な要因のうちには、干渉がある。移動端末に対する逆方向送信信号は、１つの基地局で、相互干渉が発生するためである。１つの基地局に複数の移動端末が存在する場合に、１つの移動端末は、高いデータ送信率を得るために、高い電力を使用して送信動作を遂行する。すると、上記移動端末と通信している基地局は、上記移動端末から高い電力で信号を受信する。また、上記高い電力は、他の移動端末の信号に大きい干渉量を発生させる。複数の移動端末が高い送信率でデータを同時に送信することを望む場合に、逆方向の総干渉量が非常に大きく、すべての移動端末の信号が成功的に受信される確率が低い。従って、移動通信システムの処理率を最大にするために、基地局は、逆方向の全体干渉量を効率良く調節する。また、基地局は、多くの移動端末のデータ送信率を効率良く管理しなければならない。
【００１３】
図３は、基地局が多くの移動端末の逆方向送信を効率的に調節しなければならない理由を説明するグラフである。図３での点線は、基地局のターゲットシステムロード（Target System Load）、又は、ターゲットＲｏＴ（Target Rise Over Thermal）を示す。ＲｏＴとは、逆方向の全体干渉量を測定する１つの尺度として、熱雑音電力と基地局ですべての移動端末から受信された総電力との比である。
【００１４】
ここで、基地局がターゲットシステムロード又はターゲットＲｏＴを管理しなければならない理由は、次の通りである。通常、移動通信システムは、上りリンク又は下りリンクの品質を保証するために電力制御を支援している。基地局が逆方向システムロード又は逆方向の全体受信信号の和を特定の値以下に管理しない場合に、その値が非常に大きくなる。この場合に、相互の干渉量も大きくなる。従って、すべての移動端末の信号に関連した信号対雑音比（Signal to Noise Power Ratio：ＳＮＲ）が減少する。この場合に、各リンクの通信品質を維持するために、多くの移動端末は、継続して電力を増加させる。このように、干渉量の増加を誘発する悪循環が反復されるにつれて、通信が不可能な状態となる。例えば、データ送信率に関連した１つの移動端末が高いデータ送信率を得るために高い電力を使用する場合に、上記移動端末によって逆方向干渉量が大きく増加し、他の移動端末も自身のリンク品質を維持するために電力を増加させる。逆方向の全体干渉量が増加するほど、悪循環が反復される。従って、上述したような悪循環を防止するために、基地局は、上記逆方向ロードがターゲットシステムロードを超過することができないように、すべての移動端末のデータ送信率を効率的に制御する必要がある。さらに、基地局は、全体の逆方向受信信号の和がターゲットＲｏＴを超過しないように、すべての移動端末を制御する必要がある。
【００１５】
図３を参照すると、逆方向干渉は、セル内の干渉（Inter-Cell Interference）、音声又は回線チャンネル干渉（Voice or Circuit Channel Interference）、及びパケットデータチャンネル干渉（Packet Data Channel Interference）などに区分することができる。
【００１６】
上記セル内の干渉は、他の基地局と通信を遂行している移動端末から受信された信号によって発生する干渉量を意味する。上記セル内の干渉量は、時間に従って変化する。また、セル内の干渉量は、他の基地局と通信している移動端末からの干渉である。上記セル内の干渉量は、基準基地局で制御することができる値でもなく、正確に予測することができる値でもない。
【００１７】
上記音声又は回線チャンネルの干渉は、他の音声チャンネル又は回線基本（Circuit-Based）チャンネルによって発生される干渉を意味する。上記音声又は回線チャンネルは、基地局が割り当てたチャンネルであるので、基地局は、基本的な干渉量を予測することができる。一般に、音声又は回線チャンネルは、上記パケットデータチャンネルよりもさらに高い優先権を有する。
【００１８】
上記パケットデータチャンネルの干渉は、パケットデータチャンネルから発生する干渉量を意味する。通常、基地局は、上記パケットデータチャンネルから発生する干渉量を適切に調節する。基地局が全体のシステムロード又はターゲットＲｏＴからセル内の干渉量及び音声又は回線チャンネル干渉量を減算した後に、残りの電力量を上記パケットデータチャンネルに割り当てる。このとき、基地局は、パケットデータチャンネルから発生する干渉量を適切に調節して、全体のターゲットシステムロード又はターゲットＲｏＴが全体のターゲットシステムロード又はターゲットＲｏＴを超過しないように制御動作を遂行する。
【００１９】
基地局は、上記ターゲットシステムロード又はターゲットＲｏＴを基準にして、移動端末の上りリンクパケットデータの送信、すなわち、移動端末の上りリンクパケットデータの送信率を制御することによって、上りリンクの全体の干渉量を調節する。
【００２０】
一般的な移動通信システムにおいて、基地局は、移動端末の上りリンクパケットデータ送信率を制御するために、順方向送信率制御チャンネル（Forward Rate Control Channel：Ｆ−ＲＣＣＨ）を介して送信率制御ビット（Rate Control Bit：ＲＣＢ）を送信する。上記ＲＣＢは、“０”、“＋１”又は、“−１”の値を有し、上記ＲＣＢ値が“＋１”である場合に、移動端末は、次の送信区間で、移動端末のデータ送信率を１ステップ高める。上記ＲＣＢ値が“−１”である場合に、移動端末は、次の送信区間で、移動端末のデータ送信率を１ステップ低める。上記ＲＣＢ値が“０”である場合に、移動端末は、次の送信区間で、移動端末のデータ送信率を以前の送信区間の送信率と同一に維持する。
【００２１】
上述した移動通信システムにおいて、移動端末の逆方向データ送信率を制御するために、基地局が送信したＲＣＢの信頼度は、移動端末の現在のデータ送信率に無関係に、すべての移動端末に対して同一に設定される。従って、次のような問題点が発生する。
【００２２】
まず、基地局が逆方向送信を制御する場合に、６ ｄＢのＲｏＴをターゲットＲｏＴとして動作していると仮定する。これは、基地局が各移動端末の上りリンクパケットデータチャンネルのデータ送信率を決定する場合に、全体の逆方向受信ＲｏＴ値が６ ｄＢを超えないように制御動作を遂行することを意味する。逆方向ＲｏＴの管理は、逆方向の全体性能を維持するのにもっとも重要な要素のうちの１つである。基地局が多くの移動端末にデータ送信率を同時に高めることを要請する場合に、基地局のスケジューリング動作は、移動端末の優先順位に従って、上記移動端末のデータ送信率を１ステップずつ高める場合に、逆方向ＲｏＴが６ ｄＢを超過するか否かを判断する。特定の移動端末が上記データ送信率を１ステップ増加させるとしても、逆方向ＲｏＴが６ ｄＢを超過しないと判断されると、基地局は、上記特定の移動端末に対するデータ送信率を１ステップ増加させることができるように、上記ＲＣＢを送信する。一方、上記特定の移動端末のデータ送信率を１ステップ増加させる場合に、上記逆方向ＲｏＴが６ ｄＢを超過すると判断されると、基地局は、上記特定の移動端末に対するデータ送信率を１ステップ減少させるか、又は現在のデータ送信率を継続して維持することができるように、上記ＲＣＢを送信する。例えば、特定の時点で測定されたＲｏＴが２ ｄＢであると仮定する。現在９．６ｋｂｐｓで送信されている移動端末のデータ送信率を１ステップ高めると、上記増加されたデータ送信率は、１９．２ｋｂｐｓとなる。この場合に、上記データ送信率は、９．６ｋｂｐｓで増加され、予想されるＲｏＴは、２．０ ＋ ｄｅｌｔａ１ ｄＢであると仮定する。一方、現在３０７．２ｋｂｐｓで送信されている移動端末のデータ送信率を１ステップ低める場合に、上記増加されたデータ送信率は、６１４．４ｋｂｐｓとなる。この場合に、上記データ送信率は、３０７．２ｋｂｐｓで増加され、予想されるＲｏＴは、２．０ ＋ ｄｅｌｔａ２ ｄＢであると仮定する。ｄｅｌｔａ１は、式（１）に示すように、ｄｅｌｔａ２と約３２倍の差異がある。
【００２３】
【数１】
2007520902.tif 000003
【００２４】
式（１）において、上記ＲＣＢに関連したターゲットシステムＲｏＴは、データ送信率の増加分に比例する関係であることを分かる。
【００２５】
上記ＲＣＢでエラーが発生する場合を説明する。基地局が移動端末にデータ送信率を低めるようにする命令を送信したにも関わらず、移動端末がデータ送信率を１ステップ高める命令であると誤って判断して自身のデータ送信率を高める場合に、予想されない逆方向干渉量が発生して、他の移動端末の信号品質に悪影響を及ぼす。反対に、基地局が移動端末にデータ送信率を高めるようにする命令を送信したにも関わらず、移動端末がデータ送信率を１ステップ低める命令であると誤って判断して自身のデータ送信率を低める場合に、基地局は、逆方向資源を完全に使用することができない。
【００２６】
上記ＲＣＢのエラーの影響が、すべての移動端末のデータ送信率とは無関係に現れるか否かを判断するために、次の例を説明する。特定の時点で、１つの基地局に逆方向送信の遂行を試みる移動端末の数が２つであると仮定する。ここで、１つの移動端末は、９．６ｋｂｐｓのデータ送信率で現在データを送信しており、他の移動端末は、３０７．２ｋｂｐｓのデータ送信率で現在データを送信している。９．６ｋｂｐｓのデータ送信率を１ステップ高めるためのＲＣＢにエラーが発生した場合に、２*ｄｅｌｔａ１のＲｏＴエラーが発生する。３０７．２ｋｂｐｓのデータ送信率を１ステップ高めるためのＲＣＢにエラーが発生した場合に、３２*２*ｄｅｌｔａ１のＲｏＴエラーが発生する。従って、上記ＲＣＢのエラーによって発生した逆方向干渉量は、移動端末のデータ送信率に密接な関係があることを分かる。
【００２７】
上述したように、基地局の全体の逆方向干渉量を管理する動作は、逆方向性能を維持させるにおいてもっとも重要な役割を遂行する。基地局は、上記全体の逆方向干渉量を効率的に管理するために、上記ＲＣＢを介して各移動端末のデータ送信率を調節する。移動端末のＲＣＢのエラーによって発生した逆方向干渉量を無視し、すべての移動端末に対して同一のＲＣＢを設定する場合に、上記ＲＣＢを送信するのに必要な基地局の電力を非効率的に使用し、逆方向ＲｏＴを所望のレベルで管理することができない、という問題点があった。
【発明の開示】
【発明が解決しようとする課題】
【００２８】
上記背景に鑑みて、本発明の目的は、上りリンクパケットデータを効率的に送信するための装置及び方法を提供することにある。
【００２９】
本発明の他の目的は、上りリンクパケットデータの送信のために、ＡＣＫ／ＮＡＣＫビットの信頼度を向上させる装置及び方法を提供することにある。
【００３０】
本発明のさらなる目的は、上りリンクパケットデータの送信のために、応答チャンネルの送信電力を効率的に割り当てる装置及び方法を提供することにある。
【００３１】
本発明のもう一つの目的は、上りリンクパケットデータの送信のために、移動端末のデータ送信率に従ってＲＣＢの信頼度を制御する装置及び方法を提供することにある。
【００３２】
本発明のさらに他の目的は、データ送信率に従って、基地局から送信率制御ビット（ＲＣＢ）を効率的に送信する装置及び方法を提供することにある。
【００３３】
本発明のそれ以上の他の目的は、データ送信率に従って、逆方向システムロード又はＲｏＴを効率的に管理する装置及び方法を提供することにある。
【課題を解決するための手段】
【００３４】
このような目的を達成するために、本発明の第１の特徴によれば、移動通信システムにおける無線チャンネルを介して受信されたパケットデータにエラーが発生したか否かに従って応答信号の送信を制御する装置は、上記無線チャンネルを介して受信されたパケットデータのエラーを検出したか否かに相当する応答信号を生成するエラー検出部と、上記応答信号の電力をパケットデータ送信率に従って異なる電力値で制御する送信電力制御器と、上記電力制御された応答信号を上記無線チャンネルを介して送信する送信部とを具備することを特徴とする。
【００３５】
本発明の第２の特徴によれば、移動通信システムにおける無線チャンネルを介して受信されたパケットデータにエラーが発生したか否かに従って応答信号の送信を制御する装置は、上記パケットデータにエラーが含まれているか否かを検出し、上記エラー検出に従う応答信号を生成するエラー検出部と、データ送信率に従ってそれぞれ異なる値を有する反復制御信号を出力するシンボル反復制御器と、上記反復制御信号に従って上記応答信号を反復するシンボル反復器と、上記反復された応答信号を上記無線チャンネルを介して送信する送信部とを具備することを特徴とする。
【００３６】
本発明の第３の特徴によれば、移動通信システムにおける応答信号の受信を制御する装置は、応答チャンネルを介して受信された応答信号を逆拡散する逆拡散器と、パケットデータチャンネルを介して以前に送信されたパケットデータの送信率に従って、あらかじめ設定された反復回数に基づいて合算するように制御するためのシンボル合算制御器と、シンボル合算制御信号に従って上記逆拡散器の出力を合算するシンボル合算器と、上記合算された出力を受信して、上記以前に送信されたパケットデータが正確に受信されたか否かを判断する判断器と、上記判断器の判断結果に従って、上記パケットデータを送信するパケット送信部とを具備することを特徴とする。
【００３７】
本発明の第４の特徴によれば、移動通信システムにおける送信率制御ビット（ＲＣＢ）を送信する装置は、スケジューラーの制御によって決定されたデータ送信率で上記送信率制御ビットを生成する送信率制御ビット生成部と、上記生成された送信率制御ビットの電力を特定のパケットデータ送信率に従って異なる電力値で制御する送信電力制御器とを具備することを特徴とする。
【００３８】
本発明の第５の特徴によれば、移動通信システムにおける送信率制御ビット（ＲＣＢ）を送信する装置は、スケジューラーの制御によって決定されたデータ送信率に従って、上記送信率制御ビットを生成する送信率制御ビット生成部と、上記データ送信率に従ってそれぞれ異なる値を有する反復制御信号を出力するシンボル反復制御器と、上記送信率制御ビットを上記反復制御信号に従って反復するシンボル反復器と、上記反復された送信率制御ビットを拡散し、上記拡散された送信率制御ビットを出力する拡散器とを具備することを特徴とする。
【００３９】
本発明の第６の特徴によれば、移動通信システムにおける送信率制御ビット（ＲＣＢ）を受信する装置は、送信率制御チャンネルを介して受信された送信率制御ビットを逆拡散する逆拡散器と、上記送信率制御チャンネルを介して以前に送信されたパケットデータの送信率に従って、あらかじめ設定された反復回数に基づいて合算するように制御するためのシンボル合算制御信号を出力するシンボル合算制御器と、上記シンボル合算制御信号に従って、上記逆拡散された送信率制御ビットを合算するシンボル合算器と、上記シンボル合算器の出力を受信して、上記以前に送信されたパケットデータの送信率制御ビット値を判断し、上記判断の結果に従って、上記データ送信率を制御する判断器とを具備することを特徴とする。
【００４０】
本発明の第７の特徴によれば、移動通信システムにおける送信率制御ビット（ＲＣＢ）を送信する方法は、スケジューラーの制御によって決定されたデータ送信率に従って上記送信率制御ビットを生成するステップと、上記データ送信率に従ってそれぞれ異なる値を有する反復制御信号を出力するステップと、上記反復制御信号に従って上記生成された送信率制御ビットを反復するステップと、上記反復された送信率制御ビットを拡散し、上記拡散された送信率制御ビットを出力するステップとを具備することを特徴とする。
【００４１】
本発明の第８の特徴によれば、移動通信システムにおける送信率制御ビットを送信する方法は、スケジューラーの制御によって決定されたデータ送信率に従って上記送信率制御ビットを生成するステップと、上記生成された送信率制御ビットを拡散し、上記拡散された送信率制御ビットを出力するステップと、上記拡散された送信率制御ビットの電力を上記データ送信率に従って異なる電力値で制御し、上記電力制御動作に基づいて上記拡散された送信率制御ビットを出力するステップとを具備することを特徴とする。
【００４２】
本発明の第９の特徴によれば、移動通信システムにおける送信率制御チャンネルを介して送信率制御ビットを受信する方法は、上記送信率制御チャンネルを介して受信された送信率制御ビットを逆拡散して出力するステップと、上記逆拡散された送信率制御ビットをシンボル合算制御信号に従って合算して出力するステップと、上記送信率制御チャンネルを介して以前に送信されたパケットデータの送信率に従って、あらかじめ設定された反復回数に基づいて合算するように制御するための上記シンボル合算制御信号を出力するステップと、上記合算された送信率制御ビットを受信して、上記以前に送信されたパケットデータの送信率制御ビット値を判断し、上記判断の結果に従って、上記データ送信率を制御するステップとを具備することを特徴とする。
【００４３】
本発明の第１０の特徴によれば、移動通信システムにおける応答信号の送信を制御する方法は、上記無線チャンネルを介して受信されたパケットデータでエラーが検出されたか否かを判断するステップと、上記パケットデータにエラーが発生したか否かに従って応答信号を生成するステップと、上記応答信号を反復制御信号に従って反復するステップと、データ送信率に従ってそれぞれ異なる値を有する上記反復制御信号を出力するステップと、上記反復された応答信号を無線チャンネルを介して送信するステップとを具備することを特徴とする。
【００４４】
本発明の第１１の特徴によれば、移動通信システムにおける応答信号の送信を制御する方法は、上記無線チャンネルを介して受信されたパケットデータでエラーが検出されたか否かを判断するステップと、上記パケットデータでエラーが発生したか否かに従って応答信号を生成するステップと、データ送信率に従ってそれぞれ異なる電力値で上記応答信号のための電力を制御するステップと、  上記応答信号を上記無線チャンネルを介して送信するステップとを具備することを特徴とする。
【００４５】
本発明の第１２の特徴によれば、応答信号受信器における応答信号の受信を制御する方法は、応答チャンネルを介して受信された上記応答信号を逆拡散するステップと、シンボル合算制御信号に従って上記逆拡散された応答信号を合算するステップと、パケットデータチャンネルを介して以前に送信されたパケットデータの送信率に従って、あらかじめ設定された反復回数に基づいて合算するように制御するための上記シンボル合算制御信号を出力するステップと、上記合算の結果を受信して、上記以前に送信されたパケットデータが正確に受信されたか否かを判断するステップと、上記判断の結果に従って、上記パケットデータを送信するステップとを具備することを特徴とする。
【発明の効果】
【００４６】
本発明の実施形態に従って、ＲＣＢを送信する場合に、基地局は、現在のデータ送信率に従って移動端末が受信する上記ＲＣＢの信頼度を制御することによって、資源を効率的に割り当てることができる。
【００４７】
また、基地局は、現在のデータ送信率に従って移動端末が受信する上記ＲＣＢの信頼度を制御することによって、逆方向システムロード又はＲｏＴをさらに効率的に管理することができる。
【発明を実施するための最良の形態】
【００４８】
以下、本発明の好適な一実施形態を添付図面を参照しつつ詳細に説明する。下記の説明において、本発明の要旨のみを明瞭にする目的で、関連した公知の機能又は構成に関する具体的な説明は省略する。
【００４９】
本発明は、上りリンクパケットデータを効率的に送信するための技術を提供する。このために、本発明は、逆方向送信データに関連したＡＣＫ／ＮＡＣＫビットの信頼度を向上させるか、又は、移動端末のデータ送信率に従ってＲＣＢの信頼度を制御する技術を提案する。
【００５０】
１．逆方向送信データに関連したＡＣＫ／ＮＡＣＫビットの信頼度を向上させる技術 
【００５１】
本発明の実施形態による移動通信システムにおける応答信号の送受信を制御する装置は、図４、図５、及び図６に示す。
【００５２】
第１実施形態
図４に示すように、上記応答信号送信器は、エラー検出部４０１と、拡散器４０２と、送信電力制御器４０３と、及びＡＣＫ／ＮＡＣＫ送信部４０４とを備えている。エラー検出部４０１は、パケットデータを受信して、無線チャンネルを介して受信されたパケットデータのエラーを検出する。上記エラーが検出されなかった場合には、ＡＣＫビットを生成して出力する。一方、エラーが検出された場合には、ＮＡＣＫビットを生成して出力する。拡散器４０２は、上記ＡＣＫ／ＮＡＣＫビットを受信し、これを無線チャンネルを介して送信することができるように拡散する。送信電力制御器４０３は、パケットデータチャンネルのデータ送信率に相当する電力値に基づいて、上記拡散されたＡＣＫ／ＮＡＣＫビットに対する電力制御動作を遂行し、上記電力制御動作の結果を出力する。ＡＣＫ／ＮＡＣＫ送信部４０４は、送信電力制御器４０３から出力されたＡＣＫ／ＮＡＣＫビットを無線チャンネルを介して送信する。
【００５３】
ここで、送信電力制御器４０３は、下記表１を用いて、上記上りリンクパケットデータチャンネルのデータ送信率に従って、応答チャンネルの送信電力を制御する。
【００５４】
【表１】
2007520902.tif 000004
【００５５】
上記表１において、一番目の列は、上りリンクパケットデータチャンネルのデータ送信率を示し、二番目の列は、基地局が応答チャンネルに割り当てる電力を示す。基地局の送信電力は、Ｅｃ／Ｉｏｒとして表現される。基地局の全体送信電力に対する特定のチャンネルの送信率が増加するに従って、基地局が割り当てた応答チャンネルの送信電力が増加することが分かる。例えば、上記データ送信率が１５３．６ｋｂｐｓである場合に、上記応答チャンネルの送信電力を−４０ｄＢに設定して、上記ＡＣＫ／ＮＡＣＫビットを応答信号受信器へ送信することができる。また、データ送信率が３０７．２ｋｂｐｓである場合に、上記応答チャンネルの送信電力を−３９ｄＢに設定して、上記ＡＣＫ／ＮＡＣＫビットを応答信号受信器へ送信することができる。
【００５６】
従って、上記データ送信率を制御することによって、上記ＡＣＫ／ＮＡＣＫビットを受信する信頼度を向上させることができる。
【００５７】
本発明の実施形態による移動通信システムにおける応答信号の送信を制御する方法について、図５に示すフローチャートを参照して説明する。
【００５８】
まず、応答信号送信器は、ステップ５０１で、待機状態にある。上記応答信号送信器は、ステップ５０２で、応答信号受信器からパケットデータを受信したか否かを判断する。上記応答信号送信器は、上記応答信号受信器からパケットデータを受信しなかった場合に、ステップ５０１で、待機状態を維持する。しかしながら、上記応答信号受信器からパケットデータを受信した場合に、上記応答信号送信器は、ステップ５０３で、エラーが検出されたか否かを判断する。その判断の結果、エラーが検出されなかった場合に、上記応答信号送信器は、ステップ５０４で、ＡＣＫビットを生成して、上記ＡＣＫビットが無線チャンネルを介して送信されることができるように、 上記ＡＣＫビットを拡散する。上記応答信号送信器は、ステップ５０５で、パケットデータチャンネルのデータ送信率に従って異なる電力値で上記拡散されたＡＣＫビットに対する電力制御動作を遂行する。結果的に、上記応答信号送信器は、ステップ５０６で、上記ＡＣＫビットを上記無線チャンネルを介して上記応答信号受信器へ送信する。
【００５９】
一方、ステップ５０３で受信されたパケットデータでエラーが検出された場合に、上記応答信号送信器は、ステップ５０７で、ＮＡＣＫビットを生成して、これを無線チャンネルを介して送信することができるように拡散する。上記応答信号送信器は、ステップ５０８で、パケットデータチャンネルのデータ送信率に従って異なる電力値で上記拡散されたＮＡＣＫビットに対する電力制御動作を遂行する。上記表１に示すように、逆方向データチャンネルの送信率が増加するに従って、応答チャンネルの送信電力が増加するので、上記ＡＣＫ／ＮＡＣＫビットを受信する信頼度を向上させることができる。
【００６０】
結果的に、上記応答信号送信器は、ステップ５０９で、上記ＮＡＣＫビットを無線チャンネルを介して上記応答信号受信器へ送信する。
【００６１】
第２実施形態
【００６２】
本発明の第２実施形態による応答信号送信器は、図６に示すように、エラー検出部６０１と、シンボル反復器６０２と、シンボル反復制御器６０３と、拡散器６０４と、ＡＣＫ／ＮＡＣＫ送信部６０５とを備える。
【００６３】
エラー検出部６０１は、上記無線チャンネルを介してパケットデータを受信した後に、上記受信されたパケットデータにエラーがあるか否かを検出する。エラーが検出された場合には、エラー検出部６０１は、上記ＮＡＣＫビットを生成して出力する。一方、エラーが検出されなかった場合には、エラー検出部６０１は、上記ＡＣＫビットを生成して出力する。シンボル反復器６０２は、上記ＡＣＫ／ＮＡＣＫビットを反復制御信号に従って反復して出力する。シンボル反復制御器６０３は、上記パケットデータチャンネルのデータ送信率に従ってそれぞれ異なる値を有する反復制御信号を出力する。下記表２は、上記上りリンクパケットデータチャンネルのデータ送信率に従って、順方向応答チャンネルを介して送信されたＡＣＫ／ＮＡＣＫビットの反復回数を示す。下記表２において、一番目の列は、上記上りリンクパケットデータチャンネルのデータ送信率を示し、二番目の列は、上記ＡＣＫ／ＮＡＣＫビットの反復回数を示す。例えば、上記逆方向データチャンネルのデータ送信率が１５３．６ｋｂｐｓである場合に、上記ＡＣＫ／ＮＡＣＫビットの反復回数は、“５”に設定される。また、上記逆方向データチャンネルのデータ送信率が３０７．２ｋｂｐｓである場合に、上記ＡＣＫ／ＮＡＣＫビットの反復回数は、“６”に設定される。下記表２に示すように、上記逆方向データチャンネルの送信率が増加するに従って、上記ＡＣＫ／ＮＡＣＫビットの反復回数が増加することを分かる。従って、上記逆方向データチャンネルの送信率を制御することによって、上記ＡＣＫ／ＮＡＣＫビットを受信する信頼度を向上させることができる。
【００６４】
【表２】
2007520902.tif 000005
【００６５】
シンボル反復器６０２によって反復されたＡＣＫ／ＮＡＣＫビットは、拡散器６０４へ入力される。拡散器６０４は、上記無線チャンネルを介して送信されることができるように、シンボル反復器６０２によって反復されたＡＣＫ／ＮＡＣＫビットを拡散し、上記拡散の結果を出力する。ＡＣＫ／ＮＡＣＫ送信部６０５は、拡散器６０４で拡散された上記ＡＣＫ／ＮＡＣＫビットを無線チャンネルを介して送信する。
【００６６】
本発明の他の実施形態による応答信号受信器は、図７に示すように、逆拡散器７０１、シンボル合算器７０２、シンボル合算制御器７０３、ＡＣＫ／ＮＡＣＫ判断器７０４、及びパケット送信部７０５を備えてなる。
【００６７】
逆拡散器７０１は、上記応答チャンネルを介して受信された上記ＡＣＫ／ＮＡＣＫビットを逆拡散して出力する。シンボル合算器７０２は、シンボル合算制御信号に従って逆拡散器７０１の出力を受信して合算する。シンボル合算制御器７０３は、パケットデータチャンネルを介して以前に送信されたパケットデータの送信率に基づいて、あらかじめ決定された反復回数に従って合算するように制御するための上記シンボル合算制御信号を出力する。ＡＣＫ／ＮＡＣＫ判断器７０４は、シンボル合算器７０２の出力を受信して、上記以前に送信されたパケットデータの受信が良好であるか又は不良であるかを判断する。上記判断の結果、ＡＣＫ／ＮＡＣＫ判断器７０４が上記以前に送信されたパケットデータの受信が良好であると判断した場合には、パケット送信部７０５は、新たなパケットデータを送信する。一方、ＡＣＫ／ＮＡＣＫ判断器７０４が上記以前に送信されたパケットデータの受信が不良であると判断した場合には、パケット送信部７０５は、以前のパケットデータを再送信する。
【００６８】
本発明の他の実施形態による移動通信システムにおける応答信号の送信を制御する方法について、図８に示すフローチャートを参照して説明する。
【００６９】
まず、応答信号送信器は、ステップ８０１で、待機状態にある。上記応答信号送信器は、ステップ８０２で、応答信号受信器からパケットデータを受信したか否かを判断する。上記応答信号送信器は、上記応答信号受信器からパケットデータを受信しなかった場合に、ステップ８０１で、待機状態を維持する。しかしながら、上記応答信号受信器からパケットデータを受信した場合に、上記応答信号送信器は、ステップ８０３で、受信されたパケットデータでエラーが検出されたか否かを判断する。上記受信されたパケットデータでエラーが検出されなかった場合に、上記応答信号送信器は、ステップ８０４で、ＡＣＫビットを生成し、上記生成されたＡＣＫビットを反復する。このとき、上記パケットデータチャンネルのデータ送信率に従ってそれぞれ異なる値を有する反復制御信号を出力する。
【００７０】
その後に、拡散器６０４は、ステップ８０５で、上記反復されたＡＣＫビットを拡散し、上記無線チャンネルを介して送信されることができるように、上記拡散の結果を出力する。そして、上記応答信号送信器は、ステップ８０６で、上記拡散されたＡＣＫビットを上記無線チャンネルを介して上記応答信号受信器へ送信し、ステップ８０１で、待機状態を維持する。
【００７１】
一方、上記応答信号受信器から受信されたパケットデータでエラーが検出された場合に、ステップ８０７で、上記応答信号送信器は、ＮＡＣＫビットを生成し、上記生成されたＮＡＣＫビットを反復する。このとき、上記パケットデータチャンネルのデータ送信率に従ってそれぞれ異なる値を有する反復制御信号を出力する。
【００７２】
その後に、拡散器６０４は、ステップ８０８で、上記反復されたＮＡＣＫビットを拡散し、上記無線チャンネルを介して送信されることができるように、上記拡散されたＮＡＣＫビットを出力する。そして、上記応答信号送信器は、上記ＮＡＣＫビットを上記無線チャンネルを介して上記応答信号受信器へ送信し、ステップ８０１で、待機状態を維持する。
【００７３】
従って、上記パケットデータが成功的に受信されたか否かを示す信号をフィードバックするためのチャンネルである応答チャンネルを介して送信されるＡＣＫ／ＮＡＣＫビットの反復回数は、データチャンネルのデータ送信率によって制御されることが分かる。
【００７４】
本発明の他の実施形態による移動通信システムにおける応答信号の受信を制御する方法について、図９に示すフローチャートを参照して説明する。
【００７５】
まず、応答信号受信器は、ステップ９０１で、待機状態にある。上記応答信号受信器は、ステップ９０２で、応答信号送信器からＡＣＫ／ＮＡＣＫビットを受信したか否かを判断する。上記応答信号送信器からＡＣＫ／ＮＡＣＫビットを受信しなかった場合に、上記応答信号受信器は、ステップ９０１で、待機状態を継続して維持する。しかしながら、上記応答信号送信器からＡＣＫ／ＮＡＣＫビットを受信した場合に、逆拡散器７０１は、ステップ９０３で、応答チャンネルを介して受信されたＡＣＫ／ＮＡＣＫビットを逆拡散して出力する。シンボル合算器７０２は、ステップ９０４で、シンボル合算制御信号に従って逆拡散器７０１の出力を受信して合算する。このとき、シンボル合算制御器７０３は、上記パケットデータチャンネルを介して以前に送信されたパケットデータ送信率に基づいてあらかじめ決定された反復回数に従って合算するように制御するための上記シンボル合算制御信号を出力する。この後に、ステップ９０５で、上記応答信号受信器は、応答信号ビットがＡＣＫビットであるか否かを判断する。上記応答信号ビットが上記ＡＣＫビットである場合に、上記応答信号受信器は、ステップ９０６で、以前に送信されたパケットが上記応答信号送信器により成功的に受信されたと判断して、新たなパケットデータを送信する。しかしながら、上記応答信号ビットが上記ＡＣＫビットではない場合に、上記応答信号受信器は、ステップ９０７で、上記応答信号ビットが上記ＮＡＣＫビットであるか否かを判断する。上記応答信号ビットがＮＡＣＫビットである場合に、上記応答信号受信器は、ステップ９０８で、以前に送信されたパケットが上記応答信号送信器によって成功的に受信されなかったと判断して、以前のパケットデータを再送信する。上記ＡＣＫビット及び上記ＮＡＣＫビットをすべて受信しなかった場合には、上記過程は、ステップ９０５へ戻る。
【００７６】
従って、上記応答信号受信器が上記ＡＣＫ／ＮＡＣＫビットを判断する過程において、パケットデータチャンネルの以前に送信されたパケット送信率に従って、上記応答チャンネルを介して受信されたＡＣＫ／ＮＡＣＫビットの反復回数を決定した後に、上記ＡＣＫ／ＮＡＣＫビットを判断する。
【００７７】
本発明は、上記ＡＣＫ／ＮＡＣＫビットが送信される応答チャンネルの送信電力を制御することによって、上記ＡＣＫ／ＮＡＣＫビットの信頼度を向上させる。
【００７８】
また、本発明は、上記ＡＣＫ／ＮＡＣＫビットの送信回数を制御することによって、上記ＡＣＫ／ＮＡＣＫビットの信頼度を向上させる。
【００７９】
２．逆方向データの送信率を制御する方式
【００８０】
本発明は、移動通信システムにおいて、逆方向データの送信率を制御することができるように、基地局が上記ＲＣＢを送信する場合に、上記移動端末のデータ送信率に従って、上記ＲＣＢの信頼度を制御する方法に関する。
【００８１】
まず、上記ＲＣＢの信頼度を制御する方法には、上記ＲＣＢが送信される順方向送信率制御チャンネルの送信電力を制御する方法と、上記ＲＣＢの反復回数を制御する方法とがある。
【００８２】
上記ＲＣＢによって要求された信頼度は、式（２）のように示すことができる。
【００８３】
【数２】
2007520902.tif 000006
【００８４】
上記式（２）において、αは、常数であり、
【数３】
2007520902.tif 000007
は、現在のデータ送信率を示す。ここで、上記ＲＣＢによって要求された信頼度、すなわち、
【数４】
2007520902.tif 000008
は、データ送信率に比例することを分かる。
【００８５】
また、基地局が上記ＲＣＢを送信するにあたり、上記移動端末のデータ送信率に従ってＲＣＢの信頼度を制御する方法には、上記ＲＣＢが送信されるチャンネルの送信電力を制御する方法がある。上記ＲＣＢが送信されるチャンネルの送信電力は、式（３）のように示すことができる。
【００８６】
【数５】
2007520902.tif 000009
【００８７】
式（３）において、βは、常数であり、
【数６】
2007520902.tif 000010
は、上記ＲＣＢによって要求された信頼度を示す。ここで、上記ＲＣＢが送信されるチャンネルの送信電力、すなわち、
【数７】
2007520902.tif 000011
は、上記ＲＣＢによって要求された信頼度に比例することを分かる。
【００８８】
一方、基地局が上記ＲＣＢを送信するにあたり、上記移動端末のデータ送信率に従って上記ＲＣＢの信頼度を制御する方法には、上記ＲＣＢの反復回数を調節する方法がある。上記ＲＣＢの反復回数は、式（４）のように示すことができる。
【００８９】
【数８】
2007520902.tif 000012
【００９０】
式（４）において、γは、常数であり、
【数９】
2007520902.tif 000013
は、ＲＣＢによって要求された信頼度を示す。ここで、上記ＲＣＢの反復回数、すなわち、
【数１０】
2007520902.tif 000014
は、上記ＲＣＢによって要求された信頼度に比例することを分かる。
【００９１】
基地局が上記ＲＣＢを送信するにあたって、上記移動端末のデータ送信率に従って、上記ＲＣＢの信頼度を制御する装置及び方法について説明する。基地局が移動端末へ上記ＲＣＢを送信するので、これをＲＣＢ送信器と称し、移動端末が基地局から上記ＲＣＢを受信するので、これをＲＣＢ受信器と称する。
【００９２】
第３実施形態 
【００９３】
本発明の第３実施形態によるＲＣＢ送信器は、図１０に示すように、ＲＣＢ生成部１００１、拡散器１００２、送信電力制御器１００３、及びＲＣＢ送信部１００４を備えてなる。
【００９４】
ＲＣＢ送信器（すなわち、基地局）内のスケジューラー（図示せず）が上記ＲＣＢを増加させるか、減少させるか、又は、同一に維持させるかを決定する場合には、ＲＣＢ生成部１００１は、上記ＲＣＢを生成して出力する。拡散器１００２は、上記ＲＣＢを受信してこれを拡散した後に出力する。送信電力制御器１００３は、パケットデータチャンネルのデータ送信率に従ってそれぞれ異なる電力値で上記拡散されたＲＣＢに対する電力制御動作を遂行する。パケットデータ送信部１００４は、送信電力制御器１００３から出力されたＲＣＢを無線チャンネルを介して送信する。
【００９５】
本発明の第３実施形態による移動通信システムにおけるＲＣＢ送信を制御する方法について、図１１に示すフローチャートを参照して説明する。
【００９６】
まず、上記ＲＣＢ送信器は、ステップ１１０１で、待機状態にある。上記ＲＣＢ送信器は、ステップ１１０２で、上記ＲＣＢの送信時点であるか否かを判断する。上記ＲＣＢの送信時点ではない場合に、ステップ１１０１で、上記ＲＣＢ送信器は、待機状態を維持する。しかしながら、上記ＲＣＢの送信時点である場合に、上記ＲＣＢ送信器は、次のような動作を遂行する。まず、ＲＣＢ生成部１００１は、ステップ１１０３で、スケジューラー（図示せず）の制御によって決定されたデータ送信率に従って上記ＲＣＢを生成して出力する。拡散器１００２は、ステップ１１０４で、上記生成されたＲＣＢを拡散して、上記ＲＣＢが上記無線チャンネルを介して送信されることができるように、上記拡散されたＲＣＢを出力する。送信電力制御器１００３は、ステップ１１０５で、上記パケットデータチャンネルのデータ送信率に従って異なる電力値で上記拡散されたＲＣＢに対する電力制御動作を遂行して出力する。そして、ＲＣＢ送信部１００４は、ステップ１１０６で、上記ＲＣＢを上記ＲＣＢ受信器へ送信する。従って、上述したようなデータ送信率制御方式は、上記ＲＣＢを送信する信頼度を向上させることができる。
【００９７】
第４実施形態
【００９８】
本発明の第４実施形態によるＲＣＢ送信器は、図１２に示すように、ＲＣＢ生成部１２０１、シンボル反復器１２０２、シンボル反復制御器１２０３、拡散器１２０４、及びＲＣＢ送信部１２０５を備えてなる。
【００９９】
ＲＣＢ送信器（基地局）内のスケジューラー（図示せず）が上記ＲＣＢを増加させるか、減少させるか、又は、同一に維持させるかを決定する場合には、ＲＣＢ生成部１２０１は、上記ＲＣＢを生成して出力する。シンボル反復器１２０２は、上記ＲＣＢを反復制御信号に従って反復した後に出力する。シンボル反復制御器１２０３は、上記パケットデータチャンネルのデータ送信率に従ってそれぞれ異なる値を有する上記反復制御信号を出力する。ここで、シンボル反復制御器１２０３は、上記データ送信率に従って反復回数を決定する。この後に、シンボル反復器１２０２によって反復されたＲＣＢは、拡散器１２０４へ入力される。シンボル反復器１２０２で反復された上記ＲＣＢを無線チャンネルを介して送信するために、拡散器１２０４は、上記反復されたＲＣＢを拡散して出力する。ＲＣＢ送信部１２０５は、拡散器１２０４で拡散されたＲＣＢを無線チャンネルを介して送信する。
【０１００】
本発明の第４実施形態によるＲＣＢ受信器は、図１３に示すように、逆拡散器１３０１、シンボル合算器１３０２、シンボル合算制御器１３０３、判断器１３０４、及びパケットデータ送信部１３０５を備えてなる。
【０１０１】
逆拡散器１３０１は、送信率制御チャンネルを介してＲＣＢを受信し、これを逆拡散して出力する。シンボル合算器１３０２は、シンボル合算制御信号に従って、逆拡散器１３０１の出力を受信して合算する。このとき、シンボル合算制御器１３０３は、上記パケットデータチャンネルを介して以前に送信されたパケットデータの送信率に従って、あらかじめ決定された反復回数だけ合算するように制御するための上記シンボル合算制御信号を出力する。判断器１３０４は、シンボル合算器１３０２の出力を受信した後に、上記以前に送信されたＲＣＢの値が“０”、“１”、又は“−１”であるか否かを判断する。さらに、判断器１３０４は、上記以前に送信されたＲＣＢの値に従って上記データ送信率を制御する。パケットデータ送信部１３０５は、判断器１３０４の判断の結果に従って、上記パケットデータをＲＣＢ送信器へ送信する。
【０１０２】
本発明の第４実施形態による移動通信システムにおけるＲＣＢを送信する方法について、図１４に示すフローチャートを参照して説明する。
【０１０３】
まず、ＲＣＢ送信器は、ステップ１４０１で、待機状態にある。上記ＲＣＢ送信器は、ステップ１４０２で、上記ＲＣＢの送信時点であるか否かを判断する。上記ＲＣＢの送信時点ではない場合に、ステップ１４０１で、上記ＲＣＢ送信器は、待機状態を維持する。しかしながら、上記ＲＣＢの送信時点である場合に、上記ＲＣＢ送信器は、次のような動作を遂行する。まず、ＲＣＢ生成部１２０１は、ステップ１４０３で、スケジューラー（図示せず）の制御により決定されたデータ送信率に基づいてＲＣＢを生成して出力する。シンボル反復制御器１２０３は、ステップ１４０４で、上記上りリンクパケットデータチャンネルのデータ送信率に従ってそれぞれ異なる値を有する上記反復制御信号を出力する。シンボル反復器１２０２は、ステップ１４０５で、シンボル反復制御器１２０３から出力された反復制御信号に従ってシンボル反復動作を遂行した後に、上記シンボル反復動作の結果を出力する。拡散器１２０４は、ステップ１４０６で、上記無線チャンネルを介して上記ＲＣＢを送信するために、上記ＲＣＢを拡散して出力する。そして、ＲＣＢ送信部１２０５は、ステップ１４０７で、拡散器１２０４で拡散されたＲＣＢを上記ＲＣＢ受信器へ送信する。
【０１０４】
従って、上述したようなデータ送信率制御方法は、上記ＲＣＢの信頼度を向上させることができる。
【０１０５】
本発明の第４実施形態による移動通信システムにおけるＲＣＢを受信する方法について、図１５に示すフローチャートを参照して説明する。
【０１０６】
まず、上記ＲＣＢ受信器は、ステップ１５０１で、待機状態にある。上記ＲＣＢ受信器は、ステップ１５０２で、ＲＣＢ送信器から上記ＲＣＢを受信したか否かを判断する。上記ＲＣＢ送信器から上記ＲＣＢを受信しなかった場合に、ステップ１５０１で、継続して待機状態を維持する。しかしながら、上記ＲＣＢ送信器から上記ＲＣＢを受信した場合に、上記ＲＣＢ受信器は、次のような動作を遂行する。逆拡散器１３０１は、ステップ１５０３で、送信率制御チャンネルを介して受信された上記ＲＣＢを逆拡散して出力する。この後に、シンボル合算制御器１３０３は、ステップ１５０４で、上記パケットデータチャンネルを介して以前に送信されたパケットデータの送信率に従って、あらかじめ決定された反復回数に基づいて合算するように制御するためのシンボル合算制御信号を出力する。シンボル合算器１３０２は、ステップ１５０５で、逆拡散器１３０１の出力を受信し、上記シンボル合算制御信号に従って、上記逆拡散器の出力に対するシンボル合算動作を遂行した後に、上記シンボル合算動作の結果を出力する。この後に、判断器１３０４は、ステップ１５０６で、受信されたＲＣＢが“０”であるか否かを判断する。上記受信されたＲＣＢが“０”である場合に、パケットデータ送信部１３０５は、ステップ１５０７で、次の送信区間で、データ送信率を以前の送信区間のデータ送信率と同一に維持する。しかしながら、以前に送信されたＲＣＢが“０”でない場合に、判断器１３０４は、ステップ１５０８で、上記以前に送信されたＲＣＢが“＋１”であるか否かを判断する。上記以前に送信されたＲＣＢが“＋１”である場合に、パケットデータ送信部１３０５は、ステップ１５０９で、次の送信区間でデータ送信率を１ステップ増加させる。しかしながら、上記以前に送信されたＲＣＢが“＋１”ではない場合に、判断器１３０４は、上記以前に送信されたＲＣＢが“−１”であるか否かを判断する。上記以前に送信されたＲＣＢが“−１”である場合に、パケットデータ送信部１３０５は、ステップ１５１１で、次の送信区間で、上記データ送信率を１ステップ減少させる。従って、上記ＲＣＢ受信器は、判断器１３０４の判断の結果に従うデータ送信率で、上記パケットデータを上記ＲＣＢ送信器へ送信する。上記ＲＣＢが“０”でもなく、“＋１”でもなく、“−１”でもない場合には、上記過程は、ステップ１５０６へ戻る。
【０１０７】
従って、上述したようなデータ送信率制御方法は、上記ＲＣＢを受信する信頼度を向上させることができる。
【０１０８】
以上、本発明の詳細について具体的な実施の形態に基づき説明してきたが、本発明の範囲を逸脱しない限り、各種の変形が可能なのは明らかである。従って、本発明の範囲は、上記実施の形態に限定されるものではなく、特許請求の範囲の記載及び該記載と同等なものにより定められるべきである。
【図面の簡単な説明】
【０１０９】
【図１】従来技術による移動通信システムにおける応答信号の受信を制御する方法を示すフローチャートである。
【図２】従来技術による移動通信システムにおける応答信号の送信を制御する方法を示すフローチャートである。
【図３】従来技術による逆方向干渉量を発生させる逆方向送信を示すグラフである。
【図４】本発明の第１実施形態による応答信号送信器の構成を示すブロック図である。
【図５】本発明の第１実施形態による移動通信システムにおける応答信号の送信を制御する方法を示すフローチャートである。
【図６】本発明の第２実施形態による応答信号送信器の構成を示すブロック図である。
【図７】本発明の第２実施形態による応答信号受信器の構成を示すブロック図である。
【図８】本発明の第２実施形態による移動通信システムにおける応答信号の送信を制御する方法を示すフローチャートである。
【図９】本発明の第２実施形態による移動通信システムにおける応答信号の受信を制御する方法を示すフローチャートである。
【図１０】本発明の第３実施形態によるＲＣＢ送信器の構成を示すブロック図である。
【図１１】本発明の第３実施形態によるＲＣＢを送信する方法を示すフローチャートである。
【図１２】本発明の第４実施形態によるＲＣＢ送信器の構成を示すブロック図である。
【図１３】本発明の第４実施形態によるＲＣＢ受信器の構成を示すブロック図である。
【図１４】本発明の第４実施形態によるＲＣＢを送信する方法を示すフローチャートである。
【図１５】本発明の第４実施形態によるＲＣＢを受信する方法を示すフローチャートである。
【符号の説明】
【０１１０】
４０１  エラー検出部
４０２  拡散器
４０３  送信電力制御器
４０４  ＡＣＫ／ＮＡＣＫ送信部
６０１  エラー検出部
６０２  シンボル反復器
６０３  シンボル反復制御器
６０４  拡散器
６０５  ＡＣＫ／ＮＡＣＫ送信部
７０１  逆拡散器
７０２  シンボル合算器
７０３  シンボル合算制御器
７０４  ＡＣＫ／ＮＡＣＫ判断器
７０５  パケット送信部
１００１  ＲＣＢ生成部
１００２  拡散器
１００３  送信電力制御器
１００４  ＲＣＢ送信部
１２０１  ＲＣＢ生成部
１２０２  シンボル反復器
１２０３  シンボル反復制御器
１２０４  拡散器
１２０５  ＲＣＢ送信部
１３０１  逆拡散器
１３０２  シンボル合算器
１３０３  シンボル合算制御器
１３０４  判断器
１３０５  パケットデータ送信部
【図１】
2007520902.tif 000015
【図２】
2007520902.tif 000016
【図３】
2007520902.tif 000017
【図４】
2007520902.tif 000018
【図５】
2007520902.tif 000019
【図６】
2007520902.tif 000020
【図７】
2007520902.tif 000021
【図８】
2007520902.tif 000022
【図９】
2007520902.tif 000023
【図１０】
2007520902.tif 000024
【図１１】
2007520902.tif 000025
【図１２】
2007520902.tif 000026
【図１３】
2007520902.tif 000027
【図１４】
2007520902.tif 000028
【図１５】
2007520902.tif 000029
【国際調査報告】
2007520902.tif 000030